(57)【要約】【課題】ＲＦＩＤタグに関するものであり、タグアンテナ部が引っ張られたり繰り返し折曲されたりした場合であっても破損しにくくすることを目的とする。【解決手段】ＲＦＩＤタグ１は、タグ情報を記憶保持するタグＩＣチップ８と、このタグＩＣチップ８が取り付けられているタグ基板６と、炭素繊維の紐で構成されたタグアンテナ部９とを備え、このタグアンテナ部９の紐の端部がタグ基板６に設けられた孔１５に複数回挿通された状態でタグ基板６に固着されている。【選択図】図２
2010026885.tif 000002
【特許請求の範囲】
【請求項１】
タグ情報を記憶保持するタグＩＣチップと、
前記タグＩＣチップが取り付けられているタグ基板と、
炭素繊維の紐で構成されたタグアンテナ部とを備え、
前記タグアンテナ部の前記紐の端部が前記タグ基板に設けられた孔に複数回挿通された状態で前記タグ基板に接続されていることを特徴とするＲＦＩＤタグ。
【請求項２】
前記タグアンテナ部の前記紐の端部が前記タグ基板に設けられた１個の孔に複数回挿通されていることを特徴とする請求項１に記載のＲＦＩＤタグ。
【請求項３】
前記タグアンテナ部の前記紐の端部が前記タグ基板に設けられた複数個の孔に挿通されていることを特徴とする請求項１に記載のＲＦＩＤタグ。
【請求項４】
前記炭素繊維の紐が複数本の炭素繊維で構成されており、前記紐の先端部がばらけ止め処理されていることを特徴とする請求項１から請求項３のいずれか１項に記載のＲＦＩＤタグ。
【請求項５】
前記孔に挿通された前記炭素繊維の紐の端部が半田または導電性樹脂の接続部材により前記タグ基板に固着されていることを特徴とする請求項１から請求項４のいずれか１項に記載のＲＦＩＤタグ。
【請求項６】
少なくとも前記タグＩＣチップ、前記タグ基板および前記タグ基板と前記炭素繊維の紐との接続部がケースの中に収納されていることを特徴とする請求項１から請求項５のいずれか１項に記載のＲＦＩＤタグ。
【請求項７】
少なくとも前記タグＩＣチップ、前記タグ基板および前記タグ基板と前記炭素繊維の紐との接続部がモールド樹脂によりモールドされていることを特徴とする請求項１から請求項５のいずれか１項に記載のＲＦＩＤタグ。
【請求項８】
前記炭素繊維の紐からなる前記タグアンテナ部の全体が前記ケースまたは前記モールド樹脂の内部に収納されていることを特徴とする請求項６または請求項７に記載のＲＦＩＤタグ。
【請求項９】
前記ケースの外周の一部に取り付け用の突起部が設けられ、前記突起部は釦状に形成されていることを特徴とする請求項６に記載のＲＦＩＤタグ。
【発明の詳細な説明】
【技術分野】
【０００１】
本発明は、物品の管理や人物の認証用などに用いられるＲＦＩＤタグに関する。
【背景技術】
【０００２】
近年、物流、物品などの管理、あるいは人や物体の認証をするために、ＲＦＩＤ（Ｒａｄｉｏ  Ｆｒｅｑｕｅｎｃｙ  ＩＤｅｎｔｉｆｉｃａｔｉｏｎ）タグが利用されている。ＲＦＩＤタグは、タグ情報を記憶保持するタグＩＣチップと、このタグＩＣチップに電気的に接続されるとともに無線信号を送受信するタグアンテナ部とを備えている。
【０００３】
このようなＲＦＩＤタグの利用例として、タグアンテナ部を線状素材の金属で形成し、タグＩＣチップおよびタグアンテナ部を衣類、タオル、シーツなどの布に組み込み、物流や洗濯作業工程の管理を行っていた（例えば、特許文献１を参照）。
【特許文献１】特開２００５−１３０３５４号公報
【発明の開示】
【発明が解決しようとする課題】
【０００４】
従来のＲＦＩＤタグでは、タグアンテナ部を線状素材の金属細線で形成していたため、タグ本体部分から外れやすく、また、錆びたり曲げに弱かったりして、タグアンテナ部が強く引っ張られたり繰り返し折曲されたりした場合にタグ本体部から外れたり切れたりして破損しやすいという課題があった。
【０００５】
そこで、本発明は、タグアンテナ部が引っ張られたり繰り返し折曲されたりした場合であっても破損しにくくすることを目的とする。
【課題を解決するための手段】
【０００６】
この目的を達成するために本発明のＲＦＩＤタグは、タグ情報を記憶保持するタグＩＣチップと、タグＩＣチップが取り付けられているタグ基板と、炭素繊維の紐で構成されたタグアンテナ部とを備え、タグアンテナ部の紐の端部がタグ基板に設けられた孔に複数回挿通された状態でタグ基板に接続されていることを特徴とする。このような構成により、所期の目的を達成するものである。
【発明の効果】
【０００７】
以上のように本発明は、ＲＦＩＤタグのタグアンテナ部を導電性を有する炭素繊維の紐を用いて構成し、この紐の端部を基板に設けられた孔に複数回挿通した状態で接続するようにしたので、この炭素繊維の紐は強度が非常に強いとともに柔軟性に富むためタグアンテナ部が繰り返し折曲されても切損しにくく、かつタグアンテナ部が引っ張られてもタグ本体部から外れにくくなる。これにより、タグアンテナ部が引っ張られたり繰り返し折曲されたりした場合であっても破損しにくくすることができる。
【発明を実施するための最良の形態】
【０００８】
以下、本発明の実施の形態について図面を用いて詳細に説明する。
【０００９】
（実施の形態１）
まず、図１を参照しながら、本発明の実施の形態１におけるＲＦＩＤシステム２について説明する。ここでは、病院の職員などの着衣にＲＦＩＤタグ１を取り付け、このＲＦＩＤタグ１のタグ情報を読み取ることにより職員の病棟間入退室の管理や行き先の管理などを行うＲＦＩＤシステム２の例について説明する。
【００１０】
図１は本発明の実施の形態１におけるＲＦＩＤシステム２の概要を説明するものであり、図１（Ａ）は本発明の実施の形態１におけるＲＦＩＤシステム２の概要を説明するための概要図、図１（Ｂ）は同ＲＦＩＤシステム２に用いられるＲＦＩＤタグ１を職員４に取り付けた状態の例を示す正面図である。
【００１１】
図１（Ａ）に示すように、ＲＦＩＤシステム２は、タグ情報を記憶保持しているＲＦＩＤタグ１と、このＲＦＩＤタグ１のタグ情報を読み取り管理するリーダライタ３とを備えている。
【００１２】
ＲＦＩＤタグ１は、例えば、図１（Ｂ）に示すように、病院の看護師などの職員４が着ている衣服や身に着けている帽子などの着衣の一部（いずれか一箇所でもよい）に取り付けられ、職員４の身分証明用の個別識別情報であるタグ情報を記憶保持している。
【００１３】
一方、図１（Ａ）に示すように、このＲＦＩＤタグ１と交信するためのリーダライタ３が手前の病棟と奥の病棟との出入り口５の近傍に取り付けられている。
【００１４】
このような構成により、職員４が出入り口５を通るときに、リーダライタ３が職員４の着衣に取り付けられたＲＦＩＤタグ１に向けて質問信号を送信する。ＲＦＩＤタグ１は、質問信号を受信して内部に記憶保持しているタグ情報に基づいて応答信号を返信する。なお、ＲＦＩＤシステム２の構成および動作の詳細については後述する。
【００１５】
リーダライタ３は、応答信号を受信してタグ情報を読み取り、管理装置（図示せず）に転送することにより、その職員４が病棟に入室する資格を有しているか否かを判定して警報を発したり、あるいは入退室した時刻を記録したりするなどの管理をする。
【００１６】
ＲＦＩＤタグ１は、タグ情報を記憶保持するタグＩＣチップと、このタグＩＣチップに電気的に接続され無線信号を送受信するタグアンテナ部とを備えている。
【００１７】
病院などに勤務する職員４の着衣は布などの柔軟な材料で作られており、洗濯やクリーニングが頻繁に行われている。これにより、着脱したり折り畳まれるときに繰り返し折曲され、タグアンテナ部が頻繁に動かされたり折り曲げられたりする。そのため、折曲の繰り返しや折り畳みにより、タグアンテナ部が切損したり、タグＩＣチップとタグアンテナ部の接続部分が接触不良を起こしたりするなど、破損しやすいといった問題があった。
【００１８】
そこで、本実施の形態のＲＦＩＤタグ１はタグアンテナ部として導電性があり、かつ、折り曲げや引っ張りに強い炭素繊維の紐を用いた。さらに、タグアンテナ部の炭素繊維の紐が引っ張られても容易にタグＩＣチップと外れないようにその端部をタグＩＣチップが取り付けられているタグ基板に固着している。
【００１９】
次に、図２〜図４を参照しながら、上記のような用途に適したＲＦＩＤタグ１の構成について詳細に説明する。
【００２０】
図２は本発明の実施の形態１におけるＲＦＩＤタグ１の構成を示すものであり、図２（Ａ）は本発明の実施の形態１におけるＲＦＩＤタグ１の構成を示す断面図、図２（Ｂ）は同ＲＦＩＤタグ１の構成を示す上面図、図３は本発明の実施の形態１におけるＲＦＩＤタグ１のタグアンテナ部９を説明するためのものであり、図３（Ａ）は同ＲＦＩＤタグ１のタグアンテナ部９の構成を示す斜視図、図３（Ｂ）は同ＲＦＩＤタグ１のタグアンテナ部９の他の例を示す斜視図、図４は本発明の実施の形態１におけるＲＦＩＤタグ１におけるタグＩＣチップの取り付け状態を説明するためのものであり、図４（Ａ）は同ＲＦＩＤタグ１におけるタグＩＣチップの取り付け状態を説明するための断面図、図４（Ｂ）は同ＲＦＩＤタグ１におけるタグＩＣチップの他の取り付け状態の例を示す断面図である。
【００２１】
ＲＦＩＤタグ１は、図２（Ａ）および図２（Ｂ）に示すように、タグ基板６上に形成された導電箔７にタグＩＣチップ８が電気的に取り付けられている。また、タグアンテナ部９の端部は、半田または導電性接着剤などの固着部材１１により導電箔７に電気的に接続され、導電箔７を介してタグＩＣチップ８に電気的に接続されている。そして、タグ基板６、タグＩＣチップ８およびタグアンテナ部９のタグ基板６との接続部分が絶縁性、防水性のモールド樹脂１２によってモールドされている。
【００２２】
タグアンテナ部９は、導電性のよい炭素繊維の紐により構成されている。炭素繊維の紐は、図３（Ａ）および図３（Ｂ）に示すように、複数本の細い炭素繊維の糸の集合体、例えば炭素繊維の糸が撚り合わされて撚紐にされたものを用いる。この炭素繊維の紐は、柔軟性に富んでおり自由に曲げられ、かつ折り曲げにも引っ張りにもきわめて強いという性質がある。
【００２３】
また、炭素繊維の紐の先端部は、図３（Ａ）に示すように、導電性の樹脂バンド１３で結束したり、図３（Ｂ）に示すように導電性の樹脂１４で一体化したりして、糸がばらけないようにばらけ止め処理を行い、取り扱いしやすくしている。
【００２４】
そして、タグアンテナ部９の取り付け方の特徴として、ばらけ止め処理した炭素繊維の紐の端部をタグ基板６に設けた孔１５に複数回、ここでは２回、挿通した状態で、紐をタグ基板６に固着部材１１で固着するようにしている。
【００２５】
このように、炭素繊維の紐の端部をタグ基板６の孔１５に複数回挿通しておくと、ＲＦＩＤタグ１の製造途中や完成後にタグアンテナ部９が引っ張られてもその端部が孔１５から抜けにくくすることができ、信頼性を格段に向上させることができる。
【００２６】
なお、タグＩＣチップ８をタグ基板６に取り付ける構造として、図４（Ａ）に示すように、タグＩＣチップ８の下面に設けた電極（図示省略）を導電性ペーストとアンダーフィル材、あるいは、導電性接着剤などの接着部材１６を用いて取り付けてもよい。また、他の例として、図４（Ｂ）に示すように、タグＩＣチップ８を接着剤（図示省略）でタグ基板６に固定し、その電極１７と導電箔７とを導線１８で接続する。このいずれの場合でも、タグＩＣチップ８と接続部との上面部をオーバーコート樹脂１９でカバーして保護することが望ましい。
【００２７】
また、タグＩＣチップ８をタグ基板６に取り付けるさらに他の例として、表面実装技術（ＳＭＴ）を用いてもよい。例えば、パッケージＩＣの形態で提供されるタグＩＣチップ８を実装するためにペースト状の半田をあらかじめタグ基板６に塗布しておき、チップマウンターなどの専用の射出機でタグＩＣチップ８を装着する。その後、高温炉内（例えば、２５０度程度）で加熱することで半田を溶融させ、タグＩＣチップ８をタグ基板６上に接着させる。また、さらに他の例としてストラップ工法を用いてもよい。例えば、フィルムなどのストラップ面上に形成されている端子にタグＩＣチップ８をあらかじめ搭載しておき、このストラップ面の端子（例えば、銅）を基板６（タグアンテナ部９）上の導電箔７（例えば、アルミニュウム）と接触させ、かしめて固着するようにしてもよい。これにより、タグＩＣチップ８はストラップにより保護される。
【００２８】
次に、図５を参照しながら、ＲＦＩＤシステム２の構成および動作の詳細について説明する。図５は本発明の実施の形態１におけるＲＦＩＤシステム２の構成を示すブロック図である。ここでは、図１に示すように、ＲＦＩＤシステム２を病院での入退室管理用に用いた場合の例について説明する。
【００２９】
図５に示すように、ＲＦＩＤタグ１を着衣に付けた職員４が病棟の出入り口５の近傍に来ると、リーダライタ３の送信アンテナ３ａからＲＦＩＤタグ１に向けて質問信号を送信し、ＲＦＩＤタグ１ではこの質問信号をタグアンテナ部９で受信し、タグ情報に基づいて応答信号をタグアンテナ部９を介して返信する。リーダライタ３は、この応答信号を受信アンテナ３ｂで受信しタグ情報を読み取り、管理装置（図示省略）に転送し、管理を行う。
【００３０】
まず、リーダライタ３はＲＦＩＤタグ１と交信を開始する。リーダライタ３では、ＲＦＩＤタグ１に、例えば「管理ＩＤを返信せよ」という質問信号を送信するように制御部４１で制御される。
【００３１】
次に、変調部４２により質問信号に応じて所定の搬送波を変調し、送信部４３、送信アンテナ３ａを介して、ＲＦＩＤタグ１に向けて無線信号として送信する。所定の搬送波として、ＵＨＦ帯（例えば、９５２ＭＨｚ〜９５５ＭＨｚ）やマイクロ波帯（例えば、２．４５ＧＨｚ）、ＨＦ帯（例えば、１３．５６ＭＨｚ）の周波数を利用することができる。
【００３２】
ＲＦＩＤタグ１は、タグアンテナ部９で無線信号の質問信号を受信するとともに、受信した無線信号から生成した電力をダイオード３４で整流し、直流電圧（以下、「ＤＣ電圧」と記す）を生成する。このＤＣ電圧をコンデンサ３５に充電するとともに、このＤＣ電圧をタグＩＣチップ８の各部に供給し、タグＩＣチップ８を起動する。これによって、タグＩＣチップ８の制御部３８、復調部３９、変調部３１、メモリ部３２が起動する。これによりＲＦＩＤタグ１では、電池などの電源を搭載しなくてもタグＩＣチップ８を動作させることができる。
【００３３】
次に、制御部３８からの指示で復調部３９は、受信した無線信号から「管理ＩＤを返答せよ」という質問信号を復調する。
【００３４】
また、制御部３８は、復調部３９への指示をするとともにメモリ部３２に記憶保持しているタグ情報から管理ＩＤを読み出す。
【００３５】
メモリ部３２に記憶保持されたタグ情報、すなわち、職員４の管理ＩＤが「管理ＩＤ１」であった場合には、制御部３８は、その質問に対して「管理ＩＤ１」を、変調部３１を介してスイッチ３７をオン、オフさせて応答する。
【００３６】
すなわち、スイッチ３７がオンすれば、タグアンテナ部９の端子ａと端子ｂが短絡され、スイッチ３７がオフされれば、タグアンテナ部９の端子ａと端子ｂが開放される。これによって、リーダライタ３から送信された電波を反射するか否かをタグ情報に応じて制御し、そのタグ情報の内容を伝達することができる。
【００３７】
例えば、タグ情報の「１」に対応させてスイッチ３７をオフ、タグ情報の「０」に対応させてスイッチ３７をオンさせ、このスイッチ３７のオン、オフの繰り返しにより、タグアンテナ部９からリーダライタ３に応答信号を出力し、「管理ＩＤ１」を報告する。
【００３８】
なお、ＲＦＩＤタグ１では、タグアンテナ部９の端子ａと端子ｂを開放させたときに、反射がおきないように、インピーダンスをマッチングさせるコンデンサ３６を有している。
【００３９】
リーダライタ３は、受信アンテナ３ｂで受信した応答信号を受信部４４を介して復調部４５に伝達し、復調した信号により、制御部４１が「管理ＩＤ１」の存在を確認する。リーダライタ３は、この「管理ＩＤ１」の情報を、例えば制御部４１を介してメモリ部４０に記憶する。
【００４０】
そして、メモリ部４０に記憶した「管理ＩＤ１」の情報を、管理装置に転送する。管理装置は、「管理ＩＤ１」の情報に基づいて記憶部に記憶されているデータベース（図示せず）から職員４のＩＤ情報を検索し、その職員４の入室資格の認証、入退室の管理などをする。
【００４１】
また、リーダライタ３は、制御部４１からＲＦＩＤタグ１に「管理ＩＤを応答せよ」と質問が行われたにも拘らず、「管理ＩＤ」を記憶したＲＦＩＤタグ１が存在しない場合には、応答がないので、制御部４１はこの「応答なし」から「管理ＩＤ」は存在しない、あるいは、病棟の出入り口５の近傍に来た者が入室資格を有しないものであると判断する。
【００４２】
また、図５において、リーダライタ３は、変調、同期を行うためのクロック部４６と、各部にＤＣ電圧を供給するための電源部４７を備えている。電源部４７は、例えば、ＤＣ電圧を発生させる電池などを有する。
【００４３】
なお、ＲＦＩＤタグ１を衣類などの着衣に取り付ける場合について説明したが、これに限定されるものでない。例えばリネンサプライ製品、布製のバッグ、帽子、寝具など柔らかいものに広く取り付けて使用することも可能である。さらに、これ以外の各種の用途でＲＦＩＤシステム２を用いることも可能である。
【００４４】
以上のように本実施の形態のＲＦＩＤタグ１によれば、タグアンテナ部９は、導電性のよい炭素繊維の紐により構成されている。そして、炭素繊維の紐は、複数本の細い炭素繊維の糸の集合体、例えば炭素繊維の糸が撚り合わされて撚紐にされたものを用いた。この炭素繊維の紐は、柔軟性に富んでおり自由に曲げられ、かつ折り曲げにも引っ張りにもきわめて強いという特性がある。さらに、炭素繊維の紐の端部をタグ基板６の孔１５に複数回挿通し、ＲＦＩＤタグ１の製造途中や完成後にタグアンテナ部９が引っ張られてもその端部が孔１５から抜けにくくすることにより、信頼性を格段に向上させている。これにより、タグアンテナ部９が引っ張られたり繰り返し折曲されたりした場合であっても破損しにくくすることができる。
【００４５】
（実施の形態２）
次に、図６を参照しながら、本発明の実施の形態２におけるＲＦＩＤタグ１０について説明する。
【００４６】
図６は本発明の実施の形態２におけるＲＦＩＤタグ１０の構成を示すものであり、図６（Ａ）は本発明の実施の形態２におけるＲＦＩＤタグ１０の構成を示す断面図、図６（Ｂ）は同ＲＦＩＤタグ１０の構成を示す上面図である。なお、実施の形態１と同様の構成については、同一の符号を付して説明を省略する。
【００４７】
実施の形態１では、タグ基板６に孔１５を１つ設けるようにした。本実施の形態におけるＲＦＩＤタグ１０は、タグ基板６に複数個、ここでは２個の孔１５ａ、１５ｂを設けた点で構成が異なる。これにより、タグアンテナ部９の炭素繊維の紐の端部をこの２個の孔１５ａ、１５ｂに縫うように２回挿通してタグ基板６に接続し、外れにくくしている。
【００４８】
以上のように本実施の形態のＲＦＩＤタグ１０によれば、タグアンテナ部９は、導電性のよい炭素繊維の紐により構成されている。そして、タグアンテナ部９がＲＦＩＤタグ１０の製造途中や完成後にタグアンテナ部９が端部にある孔１５ａ、１５ｂに縫うように固定されているため、引っ張られてもその孔１５ａ、１５ｂから抜けにくくすることができるので、ＲＦＩＤタグ１０を破損しにくくすることができる。
【００４９】
（実施の形態３）
次に、図７を参照しながら、本発明の実施の形態３におけるＲＦＩＤタグ３０について説明する。
【００５０】
図７は本発明の実施の形態３におけるＲＦＩＤタグ３０の構成を示すものであり、図７（Ａ）は本発明の実施の形態３におけるＲＦＩＤタグ３０の構成を示す断面図、図７（Ｂ）は同ＲＦＩＤタグ３０の構成を示す上面図である。なお、実施の形態１、２と同様の構成については同一の符号を付して説明を省略する。
【００５１】
本実施の形態においては、置台２１を介してタグ基板６とタグＩＣチップ８とを接着し、樹脂性のケース２０の中に収納している。これにより、タグアンテナ部９の全体をもケース２０の内部に収納した構成にしている。すなわち、樹脂で構成した上側のケース２０ａと下側のケース２０ｂとを組み合わせ、その中にＲＦＩＤタグ１の全てを収納している。
【００５２】
そして、上側のケース２０ａと下側のケース２０ｂとには図７（Ｂ）に示すように渦巻き状に位置決め用溝を形成し、その中にタグアンテナ部９の炭素繊維の紐をそれぞれ沿わせて嵌め込むことにより、両方のタグアンテナ部９ａ、９ｂを上下のケース２０ａ、２０ｂの内部に装着する。装着したタグアンテナ部９の上には接着テープ２２ａ、２２ｂを貼付して固定する。
【００５３】
また、ケース２０ｂに取り付け用の突起部２３を一体に設け、ここに、ピンや糸を通す孔２４を設けて、釦状（バッジ状などの変形例を含む）にしてもよい。これにより、着衣などに取り付けやすくすることができる。このケース２０を、例えば、アクセサリなどとして用いた場合、目立つように大きめに形成することもできる。この場合には、タグアンテナ部９の長さを長くすることができ、低い周波数帯域にも対応することができる。
【００５４】
以上のように本実施の形態のＲＦＩＤタグ３０によれば、タグアンテナ部９は、導電性のよい炭素繊維の紐により構成されている。そして、上ケース２０ａと下ケース２０ｂとに渦巻き状に位置決め用溝を形成し、その中にタグアンテナ部９の炭素繊維の紐を沿わせて嵌め込んでいる。これにより、両方のタグアンテナ部９を上下のケース２０ａ、２０ｂの内部に装着することができるので、ＲＦＩＤタグ３０を小さく作成することができるとともに、破損しにくくすることができる。さらに、着衣などへの取り付けを容易にすることができる。
【００５５】
なお、ケース２０として、図７に示したような中空のケース以外にも、内部をモールド樹脂でモールドしたケースにしてもよい。例えば、図８に示すように、内部を樹脂でモールドした樹脂成形のケース５４にＲＦＩＤタグ１を収納するようにしてもよい。これによっても、同様に、タグアンテナ部９が引っ張られたり繰り返し折曲されたりした場合であっても破損しにくくすることができる。
【００５６】
また、実施の形態３においては、図７に示すように、タグアンテナ部９の全体を含めて全てをケース２０の中に収納するようにしたが、少なくとも、タグＩＣチップ８、タグ基板６およびタグ基板６と炭素繊維の紐との接続部をケース２０に収納して、タグアンテナ部９の残りの部分はケース２０から外部に延出させるようにしてもよい。例えば、図９に示すように、タグ基板６とタグアンテナ部９との接続部分を樹脂成形のケース５５に収納し、タグアンテナ部９の一部をケース５５から外部に延出させるようにしてもよい。
【００５７】
また、突起部２３の形態は、図７、図８および図９に示した実施の形態に限定されない。例えば、図２、図６に示した実施の形態において、タグ基板６に直接に突起部２３を設けてもよい。
【００５８】
また、タグ基板６と炭素繊維の紐との接続部をボルトとナットにより固定するようにしてもよい。例えば、図１０に示すように、タグ基板６上の導電箔７に電気的に接続された圧着端子５３を設け、この圧着端子５３をタグ基板６の端部に固定する。具体的には、ワッシャー５２、圧着端子５３、タグ基板６を挿通させたボルト５０をナット５１と螺合させてタグ基板６に固定する。そして、圧着端子５３に炭素繊維の紐の端部、すなわち、導電性の樹脂バンド１３または導電性の樹脂１４によりばらけ処理された端部を挿入後、かしめて固定する。
【００５９】
なお、実施の形態１、２、３では、タグアンテナ部９に用いる炭素繊維の紐として、炭素繊維の糸を撚り合わせた紐を用いた場合について説明したが、これに限定されるものでない。例えば、炭素繊維を編んだ編線や、１本あるいは複数本の細い炭素繊維が織られた細長いクロス帯を炭素繊維の紐として用いるようにしてもよい。この場合であっても、厚み方向には自由に折曲できるので、平面的なものに対して有効に活用することができる。また、タグアンテナ部９に幅が狭いクロス帯を用いれば、撚紐の場合と同様な使い方が可能である。また、他の編み方によって複数本の細い炭素繊維を織るようにしてもよい。
【００６０】
また、ＲＦＩＤタグ１、１０、３０を着衣などに取り付ける例について説明したが、それ以外にも、販売される商品の衣類に取り付けて商品管理やＰＯＳ価格管理、盗難防止に用いたり、リネン業者が洗濯物に取り付けて洗濯工程ごとにタグ情報の管理番号を管理することにより、回収、洗濯、高温滅菌処理、納品、廃棄などの工程管理を行ったり、衣類以外の各種の物品に取り付けて在庫管理や入出庫の管理用などに、広く用いることもできる。
【産業上の利用可能性】
【００６１】
以上のように本発明は、ＲＦＩＤタグのタグアンテナ部を導電性を有する炭素繊維の紐を用いて構成し、この紐の端部をタグ基板に設けられた孔に複数回挿通した状態で接続するようにしたので、この炭素繊維の紐は強度が非常に強いとともに柔軟性に富むためタグアンテナ部が繰り返し折曲されても切損しにくく、かつ製造途中や完成後にタグアンテナ部が引っ張られてもタグ本体部から外れにくくすることができる。
【００６２】
これにより、タグアンテナ部が引っ張られたり繰り返し折曲されたりした場合であっても破損しにくくすることが可能なＲＦＩＤタグとして有用である。
【図面の簡単な説明】
【００６３】
【図１】（Ａ）は本発明の実施の形態１におけるＲＦＩＤシステムの概要を説明するための概要図、（Ｂ）は同ＲＦＩＤシステムに用いられるＲＦＩＤタグを職員に取り付けた状態の例を示す正面図
【図２】（Ａ）は本発明の実施の形態１におけるＲＦＩＤタグの構成を示す断面図、（Ｂ）は同ＲＦＩＤタグの構成を示す上面図
【図３】（Ａ）は本発明の実施の形態１におけるＲＦＩＤタグのタグアンテナ部の構成を示す斜視図、（Ｂ）は同ＲＦＩＤタグのタグアンテナ部の他の例を示す斜視図
【図４】（Ａ）は本発明の実施の形態１におけるＲＦＩＤタグにおけるタグＩＣチップの取り付け状態を説明するための断面図、（Ｂ）は同ＲＦＩＤタグにおけるタグＩＣチップの他の取り付けの例を示す断面図
【図５】本発明の実施の形態１におけるＲＦＩＤシステムの構成を示すブロック図
【図６】（Ａ）は本発明の実施の形態２におけるＲＦＩＤタグの構成を示す断面図、（Ｂ）は同ＲＦＩＤタグの構成を示す上面図
【図７】（Ａ）は本発明の実施の形態３におけるＲＦＩＤタグの構成を示す断面図、（Ｂ）は同ＲＦＩＤタグの構成を示す上面図
【図８】本発明の実施の形態３におけるＲＦＩＤタグの他の例を示す断面図
【図９】本発明の実施の形態３におけるＲＦＩＤタグのさらに他の例を示す断面図
【図１０】本発明の実施の形態３におけるＲＦＩＤタグのさらに他の例を示す斜視図
【符号の説明】
【００６４】
１，１０，３０    ＲＦＩＤタグ
２    ＲＦＩＤシステム
３    リーダライタ
３ａ    送信アンテナ
３ｂ    受信アンテナ
４    職員
５    出入り口
６    タグ基板
７    導電箔
８    タグＩＣチップ
９，９ａ，９ｂ    タグアンテナ部
１１    固着部材
１２    モールド樹脂
１３    導電性の樹脂バンド
１４    導電性の樹脂
１５，１５ａ，１５ｂ，２４    孔
１６    接着部材
１７    電極
１８    導線
１９    オーバーコート樹脂
２０，２０ａ，２０ｂ，５４，５５    ケース
２１    置台
２２ａ，２２ｂ    接着テープ
２３    突起部
３１，４２    変調部
３２，４０    メモリ部
３４    ダイオード
３５，３６    コンデンサ
３７    スイッチ
３８，４１    制御部
３９，４５    復調部
４３    送信部
４４    受信部
４６    クロック部
４７    電源部
【図１】
2010026885.tif 000003
【図２】
2010026885.tif 000004
【図３】
2010026885.tif 000005
【図４】
2010026885.tif 000006
【図５】
2010026885.tif 000007
【図６】
2010026885.tif 000008
【図７】
2010026885.tif 000009
【図８】
2010026885.tif 000010
【図９】
2010026885.tif 000011
【図１０】
2010026885.tif 000012